(57)【要約】 【課題】  タオルの全面に宣伝用の文言などが描かれていると、家の中でも外でも使いづらいことが多い。そこで、タオル本体には文字等を一切入れないようにして宣伝媒体の役割を果たすタオルを提供することを課題とする。【解決手段】  ブランド、品質等を表示する表示札の一端をタオルの縁部に縫い込んで固定した表示札において、表示札の面積を４０平方センチメートル以上とする。更に、表示札を所望の部位から破り取ることが出来るように、表示札の所定部位に連続的な針目を設ける。【選択図】  図１
0003123400.tif 000002
【実用新案登録請求の範囲】
【請求項１】
ブランド等を表示する表示札の一端をタオルの縁部に縫い込んで固定し、それ以外はタオルに拘束されていないフリー部分である表示札において、表示札の面積が４０平方センチメートル以上であることを特徴とするタオルの表示札。
【請求項２】
表示札のフリー部分の全部または一部を破り取ることが出来るように、所定の部位に連続的な針目を設けた請求項１記載のタオルの表示札。
【考案の詳細な説明】
【技術分野】
【０００１】
日常に用いられる大小の手拭き、手拭い、バスタオルなどのタオル類に関する。
【背景技術】
【０００２】
タオル等には、ブランド、社名、品質、産地等を表示した表示札がタオルの縁部に縫い込まれて固定されている。この表示札は、縫い込まれた部分以外ではタオルに拘束されないフリーの状態にある。表示札は、一般に四角形で、その寸法は、タテ（上記縁部に沿う方向。以下同じ。）２０〜５０ｍｍ、ヨコ（上記縁部に直角な方向。以下同じ。）２０〜３０ｍｍ位が普通である。また、これよりも大きい寸法の四角い布の四周をタオルの一隅に縫い付けて名前等を書き入れることが行われている。一方、イベントや宣伝用に配布するタオルには、タオル全面に宣伝用の文字や図柄が描き入れられている。
【考案の開示】
【考案が解決しようとする課題】
【０００３】
タオルの全面に宣伝用の文言などが描かれていると、家の中でも外でも使いづらいことが多い。そこで、タオル本体には文字等を一切入れないようにして宣伝媒体の役割を果たすタオルが望まれる。
【課題を解決するための手段】
【０００４】
本考案の第一の考案は、ブランド等を表示する表示札の一端をタオルの縁部に縫い込んで固定し、それ以外はタオルに拘束されていないフリー部分であるタオルの表示札において、表示札の面積が４０平方センチメートル以上であることを特徴とするものである。
本考案では、タオルの縁部に縫い込まれた部分以外の、タオルに拘束されないフリーの状態にある表示札の部分を、「フリー部分」と呼ぶ。また、「表示札の面積」は、フリー部分の輪郭が表す面積を云い、表面と裏面の面積を合算したり、二つ折りの場合の上面と下面の面積を合算したりはしない。
第二の考案は、第一の考案のタオルの表示札において、表示札のフリー部分の全部または一部を破り取ることが出来るように、所定の部位に連続的な針目を設けたものである。連続的な針目が形成するラインを、以下、「針目ライン」と云う。
【０００５】
すなわち、タオル本体には字などを描かず、表示札の形状を大きくして、これに宣伝用の字などを記載することにより、コマーシャル媒体としてタオルを生かすものである。そのためには、表示札の面積が少なくとも４０平方センチメートル（例えば、タテ１００ｍｍ、ヨコ４０ｍｍ）程度は必要である。
【考案の効果】
【０００６】
表示札の寸法を大きくし、面積を４０平方センチメートル以上とすることにより、宣伝用の字などを充分記載できる。場合によっては、絵や写真なども印刷することが出来る。表示札の寸法が大きくなると、場合によっては、邪魔になったり、フリー部分がタオルの外側に垂れたりする問題が発生することもある。このような時、連続的に設けた針目に従って、表示札の全部または一部を破り取ることが出来る。表示札に記載されたメッセージは伝えられた時に役目を終えるから、その後は所望に応じて、表示札の所定の部分を取り除くように、針目ラインの部位と形状を設計することができる。
「実施例」
【０００７】
表示札は、文字等が明瞭に印刷されるように比較的平滑な表面が要求される。そのために、細番手の糸を用いた織布や不織布、更に、それらをプラスチックでコーティングしたものなどが使用されている。従って、裂こうとすれば裂くことは比較的に容易であるが、裂け目に糸の跡が残って見栄えが良くない。裂きたい位置に連続的に針目を設けて置き、そこから裂くとスパッと裂けて、裂け目が綺麗になるし、裂くのも容易である。
【０００８】
表示札は織布等を１枚で用いても良いし、１枚の織布等を２つに折って用いても良い。１枚物の場合は表裏に文字等を記載することが出来、２つ折りの場合は２つの面に文字等を記載することができるから、いずれも、例えば、表示札の面積が４０平方センチメートルの場合、文字等の記載可能な面積は８０平方センチメートルになる。以下の実施例では、便宜上、２つ折りの表示札についてのみ述べる。２つ折りの表示札では、上の方の面を「上面」、タオルに近い下の方の面を「下面」と呼ぶことにする。２つ折りの場合は、当然、上面、下面の各々に針目が設けられる。
表示札は、通常、四角形であるが、他の形状で作成することも出来る。
以下、図面によって実施例を説明する。
【実施例１】
【０００９】
タオル１の縁部２は、タオルの端部を５〜１０ｍｍ程度折り込んで縫製処理されている。タオルの長手方向の端にある縁部は、幅方向の端にある縁部よりも折り込み代が多いのが通例であるから、表示札は、一般に、長手方向の端にある縁部に縫い込まれる。実施例においても長手方向の端縁部を対象とするが、幅方向の端縁部を排除するものではない。
【００１０】
図１は、実施例１の外観斜視図である。図１に示すように、２つ折りの表示札３の端部を縫い代として、折り込まれたタオルの縁部２の中に入れ込み、共に縫い込んで表示札３を固定する。縁部２から出ているフリー部分は、タテ１００ｍｍ、ヨコ４０ｍｍにする。このフリー部分の上面と下面に所要の情報を書き入れる。スペースが足りない場合は、タテヨコの寸法を変えて表示札の面積を増せば良い。表示札の上面、下面共に、縁部の直ぐ近くのフリー部分に、縁部に沿って、タテ長さ全体にわたって、針目ライン４を直線状に穿設する。図２は、図１のＡ―Ａ断面を模式的に示す図である。表示札が不要になれば、針目ライン４の所から表示札の全部を破り取ることが出来る。
【００１１】
上記の針目ラインの位置を少し変えて、図３に示すように、縁部２の端部５をめくって見える位置に針目ライン４を穿設すると、表示札３を破り取った跡が縁部２に覆われている為に見栄えが良くなる。
【実施例２】
【００１２】
図４は、実施例２の断面模式図である。
表示札３の針目ライン４の穿設部位を除いては実施例１と同様である。表示札３の上面には、縁部２から２０ｍｍの距離の位置に、縁部に沿って、タテ長さ全体にわたって、針目ライン４を直線状に穿設する。表示札３の下面には、実施例１の図２と同じ部位に針目ライン４を穿設する。針目ライン４に沿って表示札３を破り取れば、タテ１００ｍｍ、ヨコ２０ｍｍの表示札がタオルに固定されたまま残ることになる。この部分にブランド、メーカー、品質など、残して置きたい情報を記入して置く。
針目ライン４は直線に限定される訳ではなく、例えば、破り取った後に、タテ５０ｍｍ、ヨコ２０ｍｍの上面を残すように針目を入れることも、勿論、可能である。その他、必要に応じて所望の部位、形状に針目ライン４を設けることが出来る。
【図面の簡単な説明】
【００１３】
【図１】実施例１の外観斜視図である。
【図２】図１のＡ―Ａ断面を模式的に示す図である。
【図３】実施例１の他例の断面模式図である。
【図４】実施例２の断面模式図である。
【符号の説明】
【００１４】
１    タオル
２    縁部
３    表示札
４    針目ライン
５    端部
【図１】
0003123400.tif 000003
【図２】
0003123400.tif 000004
【図３】
0003123400.tif 000005
【図４】
0003123400.tif 000006